(57)【特許請求の範囲】
【請求項１】
対物レンズを支持するレンズホルダーと、
前記レンズホルダーに備えられたトラッキング用コイル及びフォーカシング用コイルが巻回されるコイルボビンと、
前記コイルボビンの各コイルを通過する磁路を構成するＵ字形のヨークと、
前記ヨークに固定されたマグネットと、
前記ヨークの二つの開放端部を閉鎖する略矩形板状のブリッジと、を備え、
前記ブリッジは、相対向する二辺の夫々の辺の両端に該辺から突出する二つの凸部を有するように形成されており、
前記ヨークは、前記二つの凸部に夫々係合する二つの切欠部を前記二つの開放端部に夫々有し、
前記二つの切欠部は、前記二つの凸部が並ぶ方向で相対向する、該二つの凸部に挟まれた側面を夫々有し、該対向する側面が前記ヨークの開放する側に向かって徐々に離れるように傾斜して形成されていることを特徴とする光学ピックアップ。
【発明の詳細な説明】
【０００１】
【産業上の利用分野】
本発明は、二軸アクチュエータにより支持された対物レンズを含む光学ピックアップに関するものである。
【０００２】
従来、この種の光学ピックアップは、例えば図２２に示すように構成されている。
図において、光学ピックアップ１は、光学ベース２と、この光学ベース２に対してスキュー調整可能に支持された二軸アクチュエータ３とを含んでいる。
【０００３】
上記光学ベース２は、寸法精度を確保するために、例えば亜鉛ダイカスト，マグネシウム合金，プラスチック等により形成されており、その中央には上下に貫通する光路２ａが形成されている。さらに、光学ベース２の光路２ａの下端には、発光素子及び受光素子から成るフォトカプラ４を実装した基板５が取り付けられている。
【０００４】
また、この光学ベース２は、光路２ａの上端に、光路２ａの光軸に一致した凹状の球面から成る球面座部であるスキュー面２ｂを備えている。
【０００５】
他方、二軸アクチュエータ３は、固定部である二軸ベース６と、この二軸ベース６に対してトラッキング方向及びフォーカシング方向に関して移動可能に支持された可動部であるレンズホルダー７とを有している。
【０００６】
上記レンズホルダー７は、先端即ち図２２にて右端に対物レンズ７ａを支持している。また、レンズホルダー７は、例えば一端がこのレンズホルダー７の両側に、また他端が二軸ベース６上に取り付けられた取付部６ａに固定された二対の板バネ（図示せず）によって、二軸ベース６に対して垂直な二方向、即ち紙面に垂直なトラッキング方向及び図において上下の方向であるフォーカシング方向に移動可能に支持されている。
【０００７】
さらに、上記レンズホルダー７に対して、コイルボビン７ｂが接着等により取り付けられている。このコイルボビン７ｂには、図示しないフォーカシング用コイル及びトラッキング用コイルが巻回されている。これにより、各コイルに通電することにより、各コイルに発生する磁束が、上記二軸ベース６上に取り付けられたヨーク８及びそれに取り付けられたマグネット９による磁束と相互に作用するようになっている。
【０００８】
また、二軸ベース６は、その底面６ｂが、球面形状に形成されていて、前記光学ベース２のスキュー面２ｂに載置されることにより、このスキュー面２ｂにより保持され、且つ底面６ｂが、スキュー面２ｂに沿って摺動することにより、スキュー調整されるようになっている。
【０００９】
このように構成された光学ピックアップ１においては、組立後に先づ対物レンズ７ａのＸＹ方向調整及びスキュー調整が行なわれる。この場合、ＸＹ方向調整は、二軸アクチュエータ３のヨーク８を二軸ベース６に対して、符号Ｘ−Ｙで示すように、Ｘ方向またはＹ方向に向かって水平移動させることにより、行なわれる。
【００１０】
また、スキュー調整は、二軸ベース６ｂを光学ベース２のスキュー面２ｂに沿って、符号ＳＫＥＷで示すように、互いに垂直な二方向に摺動させることにより、行なわれる。かくして、対物レンズ７ａが、フォトカプラ４の光軸に対して、正確に位置決めされることになる。
【００１１】
この状態にて、外部から、コイルボビン７ｂに巻回された各コイルに駆動電圧が供給されることにより、各コイルに発生する磁束が、ヨーク８及びマグネット９による磁束と相互に作用して、このコイルボビン７ｂが、トラッキング方向及びフォーカシング方向Ｆｃｓ方向に対して移動される。
【００１２】
このようにして、レンズホルダー７に取り付けられた対物レンズ７ａが、フォーカシング方向及びトラッキング方向に対して適宜に移動され、フォーカシング及びトラッキングが行われるようになっている。
【００１３】
従って、フォトカプラ４の発光素子から射出した光ビームは、対物レンズ７ａを通過し、その際この対物レンズ７ａの作用によって屈折されることにより、光ディスク（図示せず）の表面の所定トラックに対して集束することになる。
この光ディスクの表面からの戻り光ビームは、再び上記対物レンズ７ａを介して、フォトカプラ４に向かって進み、フォトカプラ４の受光素子に入射することになる。これにより、この受光素子は、戻り光ビームを受光することによって、フォーカシング制御用信号，トラッキング制御用信号及び再生用信号を検出する。
【００１４】
図２３は、従来の光学ピックアップの他の構成例を示している。
図２３において、光学ピックアップ１１は、光学ベース１２と、この光学ベース１２に対して螺着される二軸アクチュエータ１３とを含んでいる。
【００１５】
上記光学ベース１２は、図２２の光学ピックアップ１と同様に、アルミダイカストにより形成されており、その中央には上下に貫通する光路１２ａが形成されている。さらに、光学ベース１２の光路１２ａの下端には、発光素子及び受光素子から成るフォトカプラ１４を実装した基板１５が取り付けられている。
【００１６】
この場合、この光学ベース１２は、その上面１２ｂが、平坦に形成されている。
【００１７】
他方、二軸アクチュエータ１３は、固定部である二軸ベース１６と、この二軸ベース１６に対してトラッキング方向及びフォーカシング方向に関して移動可能に支持された可動部であるレンズホルダー１７とを有している。
【００１８】
上記レンズホルダー１７は、先端即ち図２３にて右端に対物レンズ１７ａを支持している。また、レンズホルダー１７は、例えば一端がこのレンズホルダー１７の両側に、また他端が二軸ベース１６上に取り付けられた取付部１６ａに固定された二対の板バネ（図示せず）によって、二軸ベース１６に対して垂直な二方向、即ち紙面に垂直なトラッキング方向及び図において上下の方向であるフォーカシング方向に移動可能に支持されている。
【００１９】
さらに、上記レンズホルダー１７に対して、コイルボビン１７ｂが接着等により取り付けられている。このコイルボビン１７ｂには、図示しないフォーカシング用コイル及びトラッキング用コイルが巻回されている。
これにより、各コイルに通電することにより、各コイルに発生する磁束が、上記二軸ベース１６に一体に形成されたヨーク１８及びそれに取り付けられたマグネット１９による磁束と相互に作用するようになっている。
【００２０】
また、二軸ベース１６は、その底面１６ｂが、平坦に形成されていて、前記光学ベース１２の上面１２ｂに載置され、光学ベース１２に対するＸＹ方向調整及びスキュー調整を行なった後、ネジ１６ｃにより、光学ベース１２に対して固定保持されるようになっている。
【００２１】
このように構成された光学ピックアップ１１においては、対物レンズ１７ａのＸＹ方向調整及びスキュー調整が、光学ベース１２に対して二軸ベース１６を組み立てた際に行なわれる。
この場合、ＸＹ方向調整は、二軸アクチュエータ１３の二軸ベース１６を光学ベース１２に対して、符号Ｘ−Ｙで示すように、Ｘ方向またはＹ方向に向かって水平移動させることにより、行なわれる。また、スキュー調整は、二軸ベース１６を光学ベース１２に対して互いに垂直な二方向に関して適宜に傾斜させることにより、行なわれる。かくして、対物レンズ１７ａが、フォトカプラ１４の光軸に対して、正確に位置決めされることになる。この状態で、二軸ベース１６は、光学ベース１２に対して、ネジ１６ｃによって強固に固定保持される。
【００２２】
また、上記光学ピックアップ１，１１においては、マグネット９，１９とヨーク８，１８による磁束をコイルボビン７ｂ，１７ｂに巻回されたコイルに効率よく作用するように、ほぼＵ字形に形成され上端が開放したヨーク８，１８は、その開放端部が、ブリッジによって閉塞されている。
【００２３】
図２４は、ヨーク８の場合について示しており、ブリッジ８ａは、その両端の中央が下方に延びた突起８ｂ，８ｃを備えており、この突起８ｂ，８ｃが、ヨーク８の二つの上端の中央付近に設けられた切欠部８ｄ，８ｅに係合され、接着剤により固定されるようになっている。
【００２４】
これにより、ヨーク８を通る磁束は、上端にてこのブリッジ８ａを通過することになるので、各コイルに作用する磁束の効率が向上することになる。
【００２５】
【発明が解決しようとする課題】
しかしながら、このような構成の光学ピックアップ１，１１においては、以下のような問題がある。
【００２８】
光学ピックアップ１，１１においては、何れも、ヨーク８，１８の上端の開放部分が、ブリッジ８ａ，１８ａを接着剤により固定することにより、閉塞されている。従って、ブリッジ８ａ，１８ａのヨーク８，１８に対する強度が弱く、例えば光学ピックアップ１，１１特にヨーク８，１８に衝撃が加えられた場合等に、上記ブリッジ８ａ，１８ａがヨーク８，１８から外れてしまうことがあった。
【００２９】
また、ブリッジ８ａ，１８ａのヨーク８，１８の上端への接着の際に、接着部分から接着剤が、図２４及び図２５に示すように、はみだしてしまうことがある。これにより、はみだした接着剤が、二軸アクチュエータ３，１３のレンズホルダー７，１７に接触することにより、レンズホルダー７，１７が、ヨーク８，１８に対して接着されてしまう。また、このはみだした接着剤が、光ディスクの記録または再生の際に、光ディスク表面に飛んで、光ディスクを汚してしまうコトがある。さらに、上記はみだした接着剤は、レンズホルダー７，１７のトラッキング方向またはフォーカシング方向のストロークを制限してしまうことにより、光ディスクの記録・再生が適正に行なわれ得なくなる等の問題があった。
【００３０】
本発明は、上述の課題に鑑みてなされるもので、接着剤によらずにブリッジをヨークに強固に固定し、信頼性を向上させることができる光学ピックアップを提供することを目的とする。
【００３１】
上記目的を達成するために、本発明の主たる観点に係る光学ピックアップは、対物レンズを支持するレンズホルダーと、前記レンズホルダーに備えられたトラッキング用コイル及びフォーカシング用コイルが巻回されるコイルボビンと、前記コイルボビンの各コイルを通過する磁路を構成するＵ字形のヨークと、前記ヨークに固定されたマグネットと、前記ヨークの二つの開放端部を閉鎖する略矩形板状のブリッジと、を備え、前記ブリッジは、相対向する二辺の夫々の辺の両端に該辺から突出する二つの凸部を有するように形成されており、前記ヨークは、前記二つの凸部に夫々係合する二つの切欠部を前記二つの開放端部に夫々有し、前記二つの切欠部は、前記二つの凸部が並ぶ方向で相対向する、該二つの凸部に挟まれた側面を夫々有し、該対向する側面が前記ヨークの開放する側に向かって徐々に離れるように傾斜して形成されていることを特徴とする。
【００３２】
本発明は、ヨークの二つの開放端部に夫々有する二つの切欠部の側面をブリッジの二つの凸部が並ぶ方向で相対向させ、該二つの凸部に挟まれた該切欠部の側面がヨークの開放する側に向かって徐々に離れるように傾斜して形成することとしたので、例えば該二つの凸部の下端を夫々の切欠部の側面に向かって傾斜させるように塑性変形させて、該二つの凸部を切欠部に対し係合させブリッジを強固にヨークの開放端部に固定保持することができる。
【００３３】
更にブリッジをヨークに固定するために接着剤を使用していないことから、接着剤がはみだして、二軸アクチュエータの可動部のストロークが制限されたり、光ディスクの表面に付着することもなく、光学ピックアップの信頼性を向上させることができる。
【００４３】
【実施例】
以下、この発明の好適な実施例を図１乃至図２１を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００４４】
図１乃至図３は、本発明による光学ピックアップの一実施例を示している。
光学ピックアップ２０は、光学ベース２１と、この光学ベース２１に対してＸＹ方向調整及びスキュー調整により固定保持される二軸アクチュエータ２２と、この光学ベース２１上に固定される光学ユニット２３とを含んでいる。
【００４５】
上記光学ベース２１は、板金加工により形成されたシェルベース２１ａと、このシェルベース２１ａの一端に取り付けられたスライドブロック２１ｂから構成されている。このスライドブロック２１ｂは、光学ピックアップ２０を横方向即ちトラッキング方向に移動させるための送り軸が挿通されるようになっている。さらに、光学ベース２１は、上記スライドブロック２１ｂとは反対側に、光学ユニット２３が前以て取り付けられている。
【００４６】
二軸アクチュエータ２２は、固定部である二軸ベース２４と、この二軸ベース２４に対してトラッキング方向及びフォーカシング方向に関して移動可能に支持された可動部であるレンズホルダー２５とから構成されている。
【００４７】
上記レンズホルダー２５は、先端に対物レンズ２５ａを支持している。図示の場合、このレンズホルダー２５は、一端がこのレンズホルダー２５の両側に、また他端が二軸ベース２４上に取り付けられた取付部２４ａに固定された二対の板バネ２６によって、二軸ベース２４に対して垂直な二方向、即ちトラッキング方向及びフォーカシング方向に移動可能に支持されている。
【００４８】
さらに、上記レンズホルダー２５に対して、コイルボビン２５ｂが接着等により取り付けられている。このコイルボビン２５ｂには、図示しないフォーカシング用コイル及びトラッキング用コイルが巻回されている。これにより、各コイルに通電することにより、各コイルに発生する磁束が、光学ベース２１のシェルベース２１ａ上に一体に形成されたヨーク２７及びそれに取り付けられたマグネット２８による磁束と相互に作用するようになっている。
【００４９】
また、図３に示すように、二軸ベース２４は、その底面２４ｂが、平坦に形成されていると共に、その両側から互いに対向して上方に立ち上がる取付片２４ｃ，２４ｄを備えている。これに対して、光学ベース２１のシェルベース２１ａには、この取付片２４ｃ，２４ｄに対して、外側から対向するように、シェルベース２１ａの両側から上方に立ち上がった取付片２１ｃ，２１ｄを備えている。これにより、二軸ベース２４の光学ベース２１に対するＸＹ方向調整及びスキュー調整を行なった後、二軸ベース２４の取付片２４ｃ，２４ｄが、それぞれ対向する光学ベース２１のシェルベース２１ａの取付片２１ｃ，２１ｄに対してハンダ付けされることにより、二軸ベース２４が、光学ベース２１に対して固定保持されるようになっている。
【００５０】
尚、シェルベース２１ａは、好ましくは、上記ハンダ付けが容易に行われるように、少なくとも取付片２１ｃ，２１ｄの部分が、ハンダメッキ，Ｎｉメッキ，金メッキ等のハンダ付け容易な材料によりメッキされている。
【００５１】
さらに、上記光学ユニット２３は、対物レンズ２５ａの光軸に対して４５度傾斜して配置されるプリズム反射面２９ａを有するプリズム２９と、このプリズム２９により反射された対物レンズ２５ａの光軸上に配設された発光素子及び受光素子から成るフォトカプラ３０とから構成されている。この場合、フォトカプラ３０は、光学ユニット２３の本体に対して、図３に示すように矢印ＥＦ方向に移動可能である。これにより、フォトカプラ３０の受光素子が、光軸合わせされるようになっている。
【００５２】
本実施例による光学ピックアップ２０は、以上のように構成されており、先づ光学ユニット２３及びスライドブロック２１ｂを光学ベース２１のシェルベース２１ａ上の所定位置に固定しておく。その後、二軸アクチュエータ２２をシェルベース２１ａの所定位置に載置し、ＸＹ方向調整及びスキュー調整を行なった後、二軸ベース２４の取付片２４ｃ，２４ｄを、それぞれ対向する光学ベース２１のシェルベース２１ａの取付片２１ｃ，２１ｄに対してハンダ付けする。
そして、光学ブロック２３のフォトカプラ３０をＥＦ方向に調整することにより、光学ピックアップ２０の組立が完了する。
【００５３】
ここで、二軸ベース２４の取付片２４ｃ，２４ｄと、シェルベース２１ａの取付片２１ｃ，２１ｄとは、互いに、図４に図式的に示すような関係にある。
従って、二軸ベース２４のＸＹ方向調整のうち、Ｙ方向調整は、図５に示すように、シェルベース２１ａの取付片２１ｃ，２１ｄの間で、二軸ベース２４をＹ方向に移動させる。これにより、この二軸ベース２４は、シェルベース２１ａの取付片２１ｃ，２１ｄの間の間隙内で、Ｙ方向に調整される。
この場合、上記間隙は、ＸＹ方向調整及びスキュー調整の後、ハンダ付けの際に、ハンダ３１が充填されることによって、埋められることになる。
【００５４】
また、二軸ベース２４のＸＹ方向調整のうち、Ｘ方向調整は、図６に示すように、シェルベース２１ａの取付片２１ｃ，２１ｄの間で、二軸ベース２４をこの取付片２１ｃ，２１ｄの面に沿って、Ｘ方向に移動させる。これにより、この二軸ベース２４は、シェルベース２１ａの取付片２１ｃ，２１ｄの間で、Ｘ方向に調整される。
【００５５】
これに対して、二軸ベース２４のスキュー調整のうち、半径方向の調整即ちＲＡＤ方向調整は、図７に示すように、シェルベース２１ａの取付片２１ｃ、２１ｄの間で、二軸ベース２４をＲＡＤ方向に傾斜させる。これにより、この二軸ベース２４は、シェルベース２１ａの取付片２１ｃ，２１ｄの間で、ＲＡＤ方向にスキュー調整される。
【００５６】
また、二軸ベース２４のスキュー調整のうち、接線方向の調整即ちＴＡＮ方向調整は、図８に示すように、シェルベース２１ａの取付片２１ｃ，２１ｄの間で、この取付片２１ｃ，２１ｄの面に沿って、二軸ベース２４をＴＡＮ方向に傾斜させる。これにより、この二軸ベース２４は、シェルベース２１ａの取付片２１ｃ，２１ｄの間で、ＴＡＮ方向にスキュー調整される。
【００５７】
さらに、上記ヨーク２７は、光学ベース２１のシェルベース２１ａに対して一体に形成されているので、シェルベース２１ａの板金加工の際に、ヨーク２７が同時に打抜き加工されることになり、容易に形成される。
【００５８】
図９は、本発明による光学ピックアップの第二の実施例の要部を示している。
光学ピックアップ４０は、その二軸ベース２４が、その両側から同一面内にて上方に立ち上がる取付片２４ｅ，２４ｆを備えている。
これに対して、光学ベースのシェルベース２１ａには、この取付片２４ｅ，２４ｆに対して、一側から対向するように、シェルベース２１ａの両側から同様に同一面内にて上方に立ち上がった取付片２１ｅ，２１ｆを備えている。これにより、二軸ベース２４の光学ベース２１に対するＸＹ方向調整及びスキュー調整を行なった後、二軸ベース２４の取付片２４ｅ，２４ｆが、それぞれ対向する光学ベース２１のシェルベース２１ａの取付片２１ｅ，２１ｆに対してハンダ付けされることにより、二軸ベース２４が、光学ベース２１に対して固定保持されるようになっている。
【００５９】
この場合、二軸ベース２４のＸＹ方向調整のうち、Ｙ方向調整は、図１０に示すように、シェルベース２１ａの取付片２１ｅ，２１ｆの間で、この取付片２１ｅ，２１ｆの表面に沿って、二軸ベース２４をＹ方向に移動させる。これにより、この二軸ベース２４は、シェルベース２１ａに対して、Ｙ方向に調整される。
【００６０】
また、二軸ベース２４のＸＹ方向調整のうち、Ｘ方向調整は、図１１に示すように、シェルベース２１ａの取付片２１ｅ，２１ｆに対して、二軸ベース２４を接近または離反せしめるように、Ｘ方向に移動させる。これにより、この二軸ベース２４は、シェルベース２１ａに対して、Ｘ方向に調整される。この場合、上記取付片２１ｅ，２１ｆと取付片２４ｅ，２４ｆとの間隙は、ＸＹ方向調整及びスキュー調整の後、ハンダ付けの際に、ハンダが充填されることによって、埋められることになる。
【００６１】
これに対して、二軸ベース２４のスキュー調整のうち、半径方向の調整即ちＲＡＤ方向調整は、図１２に示すように、二軸ベース２４の取付片２４ｅ，２４ｆをシェルベース２１ａの取付片２１ｅ，２１ｆの表面に沿って摺動させることにより、二軸ベース２４をＲＡＤ方向に傾斜させる。これにより、この二軸ベース２４は、シェルベース２１ａの取付片２１ｅ，２１ｆの間で、ＲＡＤ方向にスキュー調整される。
【００６２】
また、二軸ベース２４のスキュー調整のうち、接線方向の調整即ちＴＡＮ方向調整は、図１３に示すように、シェルベース２１ａの取付片２１ｅ，２１ｆの間で、この取付片２１ｅ，２１ｆに対して、二軸ベース２４をＴＡＮ方向に傾斜させる。これにより、この二軸ベース２４は、シェルベース２１ａの取付片２１ｅ，２１ｆの間で、ＴＡＮ方向にスキュー調整される。
【００６３】
図１４は、本発明による光学ピックアップの第三の実施例の要部を示している。
図１４において、光学ピックアップ５０は、その二軸ベース２４が、その両側から互いに斜めに上方に立ち上がる取付片２４ｇ，２４ｈを備えている。これに対して、光学ベースのシェルベース２１ａには、この取付片２４ｇ，２４ｈに対して、一側から対向するように、シェルベース２１ａの両側から同様に同一面内にて上方に立ち上がった取付片２１ｇ，２１ｈを備えている。
【００６４】
これにより、二軸ベース２４の光学ベース２１に対するＸＹ方向調整及びスキュー調整を行なった後、二軸ベース２４の取付片２４ｇ，２４ｈが、それぞれ対向する光学ベース２１のシェルベース２１ａの取付片２１ｇ，２１ｈに対してハンダ付けされることにより、二軸ベース２４が、光学ベース２１に対して固定保持されるようになっている。
【００６５】
この場合、二軸ベース２４のＸＹ方向調整及びスキュー調整は、それぞれ光学ベース２１のシェルベース２１ａに対して、二軸ベース２４をＸ方向，Ｙ方向またはＲＡＤ方向，ＴＡＮ方向に傾斜させることにより行なわれる。
その後、二軸ベース２４の取付片２４ｇ，２４ｈが、それぞれ対向する光学ベース２１のシェルベース２１ａの取付片２１ｇ，２１ｈに対してハンダ付けされ、間隙がハンダによって充填されることにより、二軸ベース２４が、光学ベース２１に対して固定保持される。
【００６６】
図１５は、本発明による光学ピックアップの第四の実施例の要部を示している。
図１５において、光学ピックアップ６０は、その二軸ベース２４が、その両側から互いに反対方向に向かって外側に延びる取付片６１ａ，６１ｂ，６１ｃ，６１ｄを備えている。これに対して、光学ベースのシェルベース２１ａには、この取付片６１ａ，６１ｂ，６１ｃ，６１ｄに対して、下方から対向するように、シェルベース２１ａの両側から同様に互いに反対方向に向かって外側に延びる取付片６２ａ，６２ｂ，６２ｃ，６２ｄを備えている。
【００６７】
これにより、二軸ベース２４の光学ベース２１に対するＸＹ方向調整及びスキュー調整を行なった後、二軸ベース２４の取付片６１ａ，６１ｂ，６１ｃ，６１ｄが、それぞれ対向する光学ベース２１のシェルベース２１ａの取付片６２ａ，６２ｂ，６２ｃ，６２ｄに対してハンダ付けされることにより、二軸ベース２４が、光学ベース２１に対して固定保持されるようになっている。
【００６８】
この場合、二軸ベース２４のＸＹ方向調整及びスキュー調整は、それぞれ光学ベース２１のシェルベース２１ａに対して、二軸ベース２４をＸ方向，Ｙ方向またはＲＡＤ方向，ＴＡＮ方向に傾斜させることにより行なわれる。
その後、二軸ベース２４の取付片６１ａ，６１ｂ，６１ｃ，６１ｄが、それぞれ対向する光学ベース２１のシェルベース２１ａの取付片６２ａ，６２ｂ，６２ｃ，６２ｄに対してハンダ付けされ、且つ間隙がハンダによって充填されることにより、二軸ベース２４が、光学ベース２１に対して固定保持される。
【００６９】
この構成によれば、二軸ベース２４及びシェルベース２１ａの取付片６１ａ乃至６１ｄ及び６２ａ乃至６２ｄは、それぞれ打抜き加工のみによって、容易に形成されることになる。
【００７０】
図１６は、本発明による光学ピックアップの第五の実施例の要部を示している。
図１６において、光学ピックアップ７０は、その二軸ベース２４が、その両側から互いに反対方向に向かって外側に延びる取付片７１ａ，７１ｂを備えている。
【００７１】
これに対して、光学ベースのシェルベース２１ａには、この取付片７１ａ，７１ｂに対して、下方から対向するように、シェルベース２１ａの両側から同様に互いに反対方向に向かって外側に延びる取付片７２ａ，７２ｂを備えている。これにより、二軸ベース２４の光学ベース２１に対するＸＹ方向調整及びスキュー調整を行なった後、二軸ベース２４の取付片７１ａ，７１ｂが、それぞれ対向する光学ベース２１のシェルベース２１ａの取付片７２ａ，７２ｂに対してハンダ付けされることにより、二軸ベース２４が、光学ベース２１に対して固定保持されるようになっている。
【００７２】
この場合、二軸ベース２４のＸＹ方向調整及びスキュー調整は、それぞれ光学ベース２１のシェルベース２１ａに対して、二軸ベース２４をＸ方向，Ｙ方向またはＲＡＤ方向，ＴＡＮ方向に傾斜させることにより行なわる。
その後、二軸ベース２４の取付片７１ａ，７１ｂが、それぞれ対向する光学ベース２１のシェルベース２１ａの取付片７２ａ，７２ｂに対してハンダ付けされ、且つ間隙がハンダによって充填されることにより、二軸ベース２４が、光学ベース２１に対して固定保持される。
【００７３】
この構成の場合にも、第四の実施例による光学ピックアップ６０の場合と同様に、二軸ベース２４及びシェルベース２１ａの取付片７１ａ，７１ｂ及び７２ａ，７２ｂは、それぞれ打抜き加工のみによって、容易に形成されることになる。
【００７４】
ところで、図１乃至図３に示した光学ピックアップ２０においては、光学ベース２１のシェルベース２１ａに対して一体に形成されたヨーク２７は、好ましくは、図１７に示すように、そのＵ字形の開放端部が、ブリッジ３２によって閉塞されている。
この場合、ブリッジ３２は、図１７に示すように、略矩形板状でありその相対向する二辺の夫々の辺の両側である両端に該辺から長手方向に突出した二つの凸部３２ａ，３２ｂ（凸部３２ａ，３２ｂと反対側の辺から突出した３２ｃ，３２ｄ）を有する。また、ヨーク２７は該二つの凸部に係合する二つの切欠部を二つの開放端部に夫々設けている。具体的には、二つの凸部３２ａ，３２ｂに係合する二つの切欠部２７ａ，２７ｂを一方の開放端部に、残りの二つの凸部３２ｃ，３２ｄに係合する二つの切欠部２７ｃ，２７ｄを残りの開放端部に夫々設けている。これにより、ブリッジ３２の二つの凸部３２ａ，３２ｂと３２ｃ，３２ｄとがヨーク２７の二つの開放端部の両側に設けられた切欠部２７ａ，２７ｂと２７ｃ，２７ｄとに対して、係合され、且つ図１８に示すように、カシメにより固定される。
【００７５】
ここで、上記二つの切欠部２７ａ，２７ｂ（２７ｃ，２７ｄ）は、図１７及び図１８に示すように、二つの凸部３２ａ，３２ｂ（３２ｃ，３２ｄ）が並ぶ方向で相対向し、その二つの凸部３２ａ，３２ｂ（３２ｃ，３２ｄ）に挟まれた側面を有する。また、その対向する側面はＵ字形のヨーク２７の開放する側に向かって徐々に離れるように傾斜して形成されている。これにより、各二つの凸部３２ａ，３２ｂ（３２ｃ，３２ｄ）は、対応する切欠部２７ａ，２７ｂ（２７ｃ，２７ｄ）内で、図１８で矢印Ａで示すように押圧されることにより、それぞれ下端が、それぞれ内側に向かって傾斜するように、塑性変形され、この切欠部２７ａ，２７ｂ（２７ｃ，２７ｄ）に係合する。かくして、ブリッジ３２がヨーク２７に対して固定保持されるようになっている。
【００７６】
このように構成されたヨーク２７及びブリッジ３２によれば、従来の接着剤による固定に比較して、大幅に強度が向上され、二軸アクチュエータ２２の可動部即ちレンズホルダー２５及びコイルボビン２５ｂが当接した場合にも、ブリッジ３２が外れてしまうようなことはない。
【００７７】
また、ブリッジ３２を固定するために接着剤を使用していないことから、接着剤がはみだして、二軸アクチュエータ２２の可動部が、ヨーク２７及びブリッジ３２の接続領域に貼付いたり、二軸アクチュエータ２２の可動部のストロークが制限されてしまうようなことはなく、また光ディスクの表面が接着剤により汚されることもない。
【００７８】
さらに、ブリッジ３２は、その上面３２ｅが、ヨーク２７の上端より高さｈだけ上方に突出するように形成されている。これにより、ヨーク２７の上端が、光ディスク表面に当たって、光ディスク表面を傷つけないようになっている。
【００７９】
図１９は、ブリッジの変形例を示している。
ブリッジ３３は、その中央付近にて長手方向に突出した凸部３３ａ，３３ｂ，３３ｃ，３３ｄが、それぞれヨーク２７の二つの上端の中央付近に設けられた対応する切欠部２７ｅ，２７ｆ，２７ｇ，２７ｈに対して、係合され、且つ図２０及び図２１に示すように、カシメにより固定される。
【００８０】
ここで、上記切欠部２７ｅ，２７ｆ，２７ｇ，２７ｈは、その外側の側面が図示のようにオーバーハング状に傾斜して形成されている。
これにより、各凸部３３ａ，３３ｂ，３３ｃ，３３ｄは、図２０に示すように対応する切欠部２７ｅ，２７ｆ，２７ｇ，２７ｈ内に挿入された後、図２１に示すように、それぞれ下端が、外側に向かって傾斜するように、塑性変形され、この切欠部２７ｅ，２７ｆ，２７ｇ，２７ｈに係合する。かくして、ブリッジ３２がヨーク２７に対して固定保持されるようになっている。
【００８１】
このように構成されたヨーク２７及びブリッジ３３によれば、従来の接着剤による固定に比較して、大幅に強度が向上され、二軸アクチュエータ２２の可動部即ちレンズホルダー２５及びコイルボビン２５ｂが当接した場合にも、ブリッジ３３が外れてしまうようなことはない。
【００８２】
また、ブリッジ３３を固定するために接着剤を使用していないことから、接着剤がはみだして、二軸アクチュエータ２２の可動部が、ヨーク２７及びブリッジ３３の接続領域に貼付いたり、二軸アクチュエータ２２の可動部のストロークが制限されてしまうようなことはなく、また光ディスクの表面が接着剤により汚されることもない。
【００８３】
さらに、ブリッジ３３は、その上面が、ヨーク２７の上端より上方に突出するように形成されている。これにより、ヨーク２７の上端が、光ディスク表面に当たって、光ディスク表面を傷つけないようになっている。
【００８４】
このように、以上の実施例では、光学ベース自体が板金加工によって形成されているので、簡単に且つ短時間で形成されると共に、二軸アクチュエータの固定部が、光学ベースに対して直接にハンダ付けによって固定されている。
従って、二軸アクチュエータは、簡単な構成によって、容易に光学ベースに対して固定されることになる。これにより、コストが低減されると共に、対物レンズの取付精度が向上し、信頼性が高められ得ることになる。
【００８５】
ヨーク２７の二つの開放端部に夫々有する二つの切欠部２７ａ，２７ｂ（２７ｃ，２７ｄ）に、ブリッジ３２の二つの凸部３２ａ，３２ｂ（３２ｃ，３２ｄ）が並ぶ方向で相対向しその二つの凸部に挟まれる該切欠部の側面を、ヨーク２７の開放する側に向かって徐々に互いに離れるように傾斜させて形成することとしたので、例えば該二つの凸部３２ａ，３２ｂ（３２ｃ，３２ｄ）の下端を夫々の切欠部２７ａ，２７ｂ（２７ｃ，２７ｄ）の側面に向かって傾斜させるように塑性変形させて係合させ、ブリッジ３２を強固にヨーク２７の開放端部に固定保持することができる。
【００８６】
【発明の効果】
以上述べたように、本発明によれば、接着剤によらずにブリッジをヨークに強固に固定し、信頼性を向上させることができる光学ピックアップを提供することができる。
【図面の簡単な説明】
【図１】  本発明による光学ピックアップの第一の実施例の構成を示す概略断面図である。
【図２】  図１の光学ピックアップの斜視図である。
【図３】  図１の光学ピックアップの分解斜視図である。
【図４】  図１の光学ピックアップにおける二軸ベースと光学ベースの取付片の関係を示す概略斜視図である。
【図５】  図４の取付片によるＸＹ方向調整のＹ方向調整を示す正面図である。
【図６】  図４の取付片によるＸＹ方向調整のＸ方向調整を示す側面図である。
【図７】  図４の取付片によるスキュー調整の半径方向調整を示す正面図である。
【図８】  図４の取付片によるスキュー調整の接線方向調整を示す側面図である。
【図９】  本発明による光学ピックアップの第二の実施例における二軸ベースと光学ベースの取付片の関係を示す概略斜視図である。
【図１０】  図９の取付片によるＸＹ方向調整のＹ方向調整を示す正面図である。
【図１１】  図９の取付片によるＸＹ方向調整のＸ方向調整を示す側面図である。
【図１２】  図９の取付片によるスキュー調整の半径方向調整を示す正面図である。
【図１３】  図９の取付片によるスキュー調整の接線方向調整を示す側面図である。
【図１４】  本発明による光学ピックアップの第三の実施例における二軸ベースと光学ベースの取付片の関係を示す概略斜視図である。
【図１５】  本発明による光学ピックアップの第４の実施例における二軸ベースと光学ベースの取付片の関係を示す概略斜視図である。
【図１６】  本発明による光学ピックアップの第５の実施例における二軸ベースと光学ベースの取付片の関係を示す概略斜視図である。
【図１７】  本発明による光学ピックアップの各実施例におけるヨーク及びブリッジの第一の構成例を示す分解斜視図である。
【図１８】  図１７のブリッジのヨークに対するカシメ状態を示す部分拡大正面図である。
【図１９】  本発明による光学ピックアップの各実施例におけるブリッジの第二の構成例を示す斜視図である。
【図２０】  図１９のブリッジのヨークに対するカシメ状態を示す部分拡大正面図である。
【図２１】  図１９のブリッジのヨークに対するカシメ後の状態を示す部分拡大正面図である。
【図２２】  従来の光学ピックアップの一例を示す概略断面図である。
【図２３】  従来の光学ピックアップの他の例を示す概略断面図である。
【図２４】  従来の光学ピックアップにおけるヨークとブリッジの一例を示す斜視図である。
【図２５】  図２４のヨーク及びブリッジの側面図である。
【図１】
0003646714.tif 000002
【図２】
0003646714.tif 000003
【図３】
0003646714.tif 000004
【図４】
0003646714.tif 000005
【図５】
0003646714.tif 000006
【図６】
0003646714.tif 000007
【図７】
0003646714.tif 000008
【図８】
0003646714.tif 000009
【図９】
0003646714.tif 000010
【図１０】
0003646714.tif 000011
【図１１】
0003646714.tif 000012
【図１２】
0003646714.tif 000013
【図１３】
0003646714.tif 000014
【図１４】
0003646714.tif 000015
【図１５】
0003646714.tif 000016
【図１６】
0003646714.tif 000017
【図１７】
0003646714.tif 000018
【図１８】
0003646714.tif 000019
【図１９】
0003646714.tif 000020
【図２０】
0003646714.tif 000021
【図２１】
0003646714.tif 000022
【図２２】
0003646714.tif 000023
【図２３】
0003646714.tif 000024
【図２４】
0003646714.tif 000025
【図２５】
0003646714.tif 000026